(57)【要約】      （修正有）【課題】低温サウナ室と多目的マッサージ室とクールダウン休憩室とを組み合わせて、良好な健康増進効果を得ることができる健康増進施設を提供する。【解決手段】低温サウナ室と多目的マッサージ室とクールダウン休憩室とが１つのフロア内にあって、低温サウナ室とクールダウン休憩室と多目的マッサージ室とが近接して配置され、低温サウナ室に入浴した後にクールダウン後多目的マッサージ室で目的に応じた多様なマッサージが施され、低温サウナ室は遠赤外線を放射する特殊自然石のベッドが敷設されるとともに、多目的マッサージ室は、薬効成分を含む泥パック剤がパックされるマッサージや、リンパ液の循環を良くするイオン・ドレナージュマッサージや遠赤外線式温灸マッサージ器などの施術が行われる部屋とされ、低温サウナ室と多目的マッサージ室との間に休憩室が配置され、さらに、低温サウナ室と多目的マッサージ室にそれぞれシャワーブースが併設されている。【選択図】図１
0003106220.tif 000002
【実用新案登録請求の範囲】
【請求項１】
室温40℃程度の低温サウナ室、並びに、リンパ液の循環を促すイオンドレナージュ、遠赤外線式温灸マッサージ器及び泥パックを施術するための多目的マッサージ室が１つのフロア内に配置されている健康増進施設。
【請求項２】
請求項１において、低温サウナ室と多目的マッサージ室とが近接して配置され、低温サウナ室に入浴した後に多目的マッサージ室で利用者に適応した施術が施される健康増進施設。
【請求項３】
請求項１又は２において、低温サウナ室は、人が仰向けやうつ伏せの姿勢で利用する遠赤外線とマイナスイオンを放射するベッドが敷設されている健康増進施設。
【請求項４】
請求項１〜３の何れかにおいて、多目的マッサージ室は、薬効成分や身体の新陳代謝を促進する成分を含む泥パック剤がパックされる部屋である健康増進施設。
【請求項５】
請求項１〜４の何れかにおいて、低温サウナ室と多目的マッサージ室との間にクールダウン兼休憩室が配置されている健康増進施設。
【請求項６】
請求項１〜５のいずれかにおいて、低温サウナ室と多目的マッサージ室にそれぞれシャワーブースが併設されている健康増進施設。
【考案の詳細な説明】
【技術分野】
【０００１】
この考案は、人体の健康増進を図るための施設に関するものである。
【背景技術】
【０００２】
この種の施設として、サウナ浴単独の施設は、知られている（特許文献１）。
【特許文献１】特開２００３−４７６３９号公報
【考案の開示】
【考案が解決しようとする課題】
【０００３】
しかし、サウナ浴単独では、十分な健康増進効果は得られ難い。
【０００４】
そこで、本考案の目的は、低温サウナ室と多目的マッサージ室とを組み合わせて、十分な健康増進効果が得られる健康増進施設を提供することを目的としている。
【課題を解決するための手段】
【０００５】
上記目的を達成するため、本考案の健康増進施設では、室温40℃程度の低温サウナ室と、リンパ液の循環を促すイオンドレナージュ、遠赤外線式温灸マッサージ器及び泥パックを施術するための多目的マッサージ室とを１つのフロア内に近接して配置している。併せて、低温サウナ室で汗を出す関係で利用者に提供する水分補給として「ハーブ茶や活性水」を提供し、トータルの健康増進ができる施設である、
【０００６】
この施設によれば、低温サウナ室で身体に負担をかけずにゆっくりと発汗作用が促され、また、多目的マッサージ室で泥パックやリンパ液の循環を促すイオンドレナージュ及び遠赤外線による温灸マッサージ器が施されて血液やリンパ液の循環が促進されるので、これらを組み合わせて人体に施すことにより健康増進効果が得られる。
【０００７】
本考案の一実施形態では、室温40℃程度の低温サウナ室とリンパ液の循環を促すイオンドレナージュ、遠赤外線式温灸マッサージ器及び泥パックを施術するための多目的マッサージ室とを近接して配置し、低温サウナ室に入浴した後に多目的マッサージ室でイオンドレナージュ、泥パックまたは温灸マッサージが施される。このようにすれば、低温サウナ室で発汗作用が促された後，次の行程で多目的マッサージ室においてマッサージが施されるので、血液の循環が一層促進されて、より良好な健康促進効果が得られる。また、前記低温サウナ室と多目的マッサージ室とが近接して配置されているので、低温サウナ室での入浴後に多目的マッサージ室へ移動し易い。
【０００８】
本考案の他の実施形態では、低温サウナ室が遠赤外線やマイナスイオンを放射するベッドが敷設されている。このようにすれば、低温サウナ室に入浴したとき、ベッドから放射される遠赤外線の身体の中への加熱により発汗作用がより促され且つマイナスイオンで血液がサラサラになる効果や心がゆったりと安定する効果が奏されて健康増進に寄与する。
【０００９】
本考案のさらに他の実施形態では、多目的マッサージ室において薬効成分や身体の新陳代謝を促進する成分を含む泥パック剤がパックされる。このようにすれば、泥パック剤により血液の循環がより促進されて健康増進に寄与する。
【００１０】
また、本考案の他の実施形態では、低温サウナ室と多目的マッサージ室との間にクールダウン兼休憩室が配置されている。この構成によれば、低温サウナ室での入浴後又は多目的マッサージ室でのマッサージ後に直ぐにクールダウン兼休憩室でクールダウンや疲れた体を休ませることができ、休息することで身体と心がリラックスしてより一層の健康増進効果を促進する。
【００１１】
さらに、本考案の他の実施形態では、低温サウナ室に隣接するクールダウン兼休憩室と多目的マッサージ室とにそれぞれシャワーブースが併設されている。この構成によれば、低温サウナ室での汗と多目的マッサージ室で施された泥パック剤を直ぐに洗い流せる。
【考案の効果】
【００１２】
本考案の健康増進施設によれば、低温サウナ室と多目的マッサージ室とクールダウン兼休憩室とを組み合わせることにより、良好な健康増進効果を得ることができる。
【考案を実施するための最良の形態】
【００１３】
以下、本考案にかかる健康増進施設の好ましい実施形態を図面に基づいて説明する。図１は本考案にかかる健康増進施設の一実施形態を示す配置図である。同図では、上下に互いに対向する２つの第１及び第２側壁Ａ，Ｂと、これら側壁Ａ，Ｂに隣接して左右に対向状に設けられた２つの第３及び第４側壁Ｃ，Ｄとで１つのフロアＦが形成されており、このフロアＦの内部で図の下側に位置する第１側壁Ａ側に玄関１、ロッカー３１や化粧コーナー３２が設けられた更衣室３、トイレ２およびリネン室Ｌが配置され、玄関１には開閉ドア１１や下駄箱１２が設けられている。また、図の右側に位置する第４側壁Ｄ側にはリラックスチェアーコーナー４が設けられ、温灸式マッサージ器コーナー４の左側方空間に、テーブル５１と椅子５２が設けられた待合コーナー５が、その奥側にはスタッフ室６１と併設された受付コーナー６が配置されている。その右奥の隅部に機械室１０が設けられている。入浴者は玄関１から待合コーナー５を経て受付コーナー６に行く。
【００１４】
さらに、図の左側に位置する第３側壁Ｃ側には、第３側壁Ｃと第２側壁Ｂ及び隔壁７Ａ、７Ｂで画成される独立した矩形空間の低温サウナ室７が配置されている。この低温サウナ室７には、中赤外線効果やイオンバランス効果や抗酸化効果のある特殊材を用いたアペイザーベッド７１が設けられている。ベッドとしては、また麦飯石、ゲルマニウム鉱石、トルマリン、石英片岩などの遠赤外線を放射するものを用いることもできる。また、ベッド７１には図示しないヒートパイプなどの加熱器が設けられて、これでベッド７１が約４５〜５０℃程度の温度に保持される。この低温サウナ室７の入口側となる隔壁７Ｂには引き戸７３が設けられ、隣室との隔壁７Ａには引き戸７２が設けられている。この低温サウナ室7は、乾燥状態に保持してもよいが、徐々に発汗作用を促すために、加湿器を別途設けて内部を多湿状態に保持するようにしてもよい。
【００１５】
また、前記低温サウナ室７と対向する第１側壁Ａと第３側壁Ｃの角部分には、これら第１側壁Ａと第３側壁Ｃ及び２つの隔壁８Ａ，８Ｂで画成される独立した矩形空間の多目的マッサージ室８が低温サウナ室７と向かい合うように近接して配置されている。この多目的マッサージ室８には、複数のベッド８１が設けられ、このベッド８１上で入浴者に対し薬効成分を含む泥パック剤がパックされる。この泥パック剤としては、血液の循環を良くすることが知られている例えばイスラエル死海産のミネラル分の豊富な泥が用いられ、これを入浴者の全身にパックすることにより、血行が良くなって全身のマッサージ効果が得られる。また、多目的マッサージ室８には、第３側壁Ｃ側に囲い８８によって囲まれた空間に遠赤外線温灸式マッサージ器８２が配置され、隔壁８Ａ側にシャワーブース８７と更衣室８５及び洗面所８６が併設されている。この多目的マッサージ室８の入口側となる隔壁８Ｂには、引き戸８３が設けられ、隔壁８Ａ側に出口となる引き戸８４が設けられている。
【００１６】
前記低温サウナ室７と多目的マッサージ室８との間の空間には、クールダウン兼休憩室９が配置され、ここにテーブル９１と複数の椅子９２が設けられるとともに、更衣室９３及びシャワーブース９４が併設されている。
【００１７】
次に、以上の健康増進施設を使用するときの手順について説明する。先ず、入浴者は、玄関１から待合コーナー５を経て受付コーナー６に入り、ここで受け付けを済ませてから待合コーナー５で待機する。その後、更衣室３で浴衣などに着替えて低温サウナ室７に入り、ここに配置されたアペイザーベッド７１に敷布を敷き，又は敷布を用いることなく浴衣のままで約２５分程度横たわる。このベッド７１には、自然石を人体の肩、背中／腰部を中心に配置し温水又は電熱ヒーターなどの加熱器で加温されて遠赤外線を放射し、ベッド７１の全体が約４５℃の温度に保持され、室温を４０℃程度に保つことで低温サウナの状態となるので、体の内部から温められて発汗作用が促進される。このとき、加湿器を別途設けて内部を多湿状態に保持する場合は、発汗作用が徐々に心地よく促進される。
【００１８】
低温サウナ室７での入浴後、入浴者はクールダウン兼休憩室９で約５分程度休んでから多目的マッサージ室８に入る。ここで、入浴者はベッド８１上に横たわって、全身に薬効成分を含む泥パック剤がパックされ、この状態が約１５〜２０分間保持される。これにより、血行が良くなって全身のマッサージ効果が得られる。このマッサージ後には、多目的マッサージ室８に併設したシャワーブース８２で全身にパックされた泥パック剤が洗い流される。この泥パック施術以外にイオンドレナージュ施術でリンパ液の流れを促進させれ健康増進方法も選択できる。そして、低温サウナ入浴後、多目的マッサージ室に設置された遠赤外線式温灸ベッドで約３０〜４０分間温灸式マッサージを受けることもでき、それぞれ選択することもできる。
【００１９】
以上のように、低温サウナ室７で発汗作用を促した後に、多目的マッサージ室８で泥パック剤によるマッサージが施されて血液の循環が促進されることにより、入浴者の健康増進効果が得られる。
【００２０】
なお、本考案では、前記低温サウナ室７での入浴行程と多目的マッサージ室８でのマッサージ行程とを必ずしも限定するものではなく、これら入浴行程とマッサージ行程とは逆の順序で行ってもよい。
【図面の簡単な説明】
【００２１】
【図１】本考案にかかる健康増進施設の一実施形態を示す配置図である。
【符号の説明】
【００２２】
５  休憩室
７  低温サウナ室
８  多目的マッサージ室
８２  シャワーブース
Ｆ  フロア
【図１】
0003106220.tif 000003